(57)【要約】【課題】携帯端末においてパノラマ画像の切り替え又はスクロールを簡単に行うことを目的とする。【解決手段】携帯端末は、画像を表示する表示部と、携帯端末の移動を検出する移動検出部と、を有し、上記表示部が画像表示領域より大きいパノラマ画像を表示しているときに、上記移動検出部が携帯端末の移動を検出したとき、上記表示部に表示されたパノラマ画像はスクロールされる。【選択図】  図１
2004317548.tif 000002
【特許請求の範囲】
【請求項１】
画像を表示する表示部と、携帯端末の移動を検出する移動検出部と、を有し、上記表示部が画像表示領域より大きいパノラマ画像を表示しているときに、上記移動検出部が携帯端末の移動を検出したとき、上記表示部に表示されたパノラマ画像はスクロールされることを特徴とする携帯端末。
【請求項２】
請求項１記載の携帯端末において、上記表示部に表示されたパノラマ画像のスクロール方向は、上記携帯端末の移動方向に対応していることを特徴とする携帯端末。
【請求項３】
請求項１記載の携帯端末において、上記表示部に表示されたパノラマ画像のスクロール量は、上記携帯端末の移動速度又は移動量に対応していることを特徴とする携帯端末。
【請求項４】
請求項１記載の携帯端末において、上記携帯端末の移動速度又は移動量が所定の値より小さいときは上記表示部に表示されたパノラマ画像はスクロールされないことを特徴とする携帯端末。
【発明の詳細な説明】
【０００１】
【発明の属する技術分野】
本発明は、パノラマ画像の表示機能を有する携帯端末に関する。
【０００２】
【従来の技術】
携帯端末において、画像表示領域より大きいパノラマ画像を表示する場合、画面の切り替え又はスクロールが必要である。例えば、先ず、パノラマ画像の一部を表示し、左右矢印キーの押下などの操作によって、表示する画面を切り替え又はスクロールさせる。
【０００３】
特開２００２−１５８９２２号公報には、パノラマ画像を構成する画像のそれぞれに、位置、順番などの情報を付加することによりパノラマ画像の全体像を把握し、画像単位で表示を切り替える方法が提案されている。
【０００４】
【特許文献１】
特開２００２−１５８９２２号公報
【０００５】
【発明が解決しようとする課題】
しかしながら、上述の技術では、画面をスクロールさせるために矢印キーの押下などの操作を行わなければならない。従って、パノラマ画像の全体像を把握する場合には、矢印キーの押下などの操作を多数回行わなければならず、パノラマ合成を行ったことの利点が損なわれるという問題点があった。
本発明は、簡単な操作によって、パノラマ画像の表示を切り替え又はスクロールすることができるようにすることを目的とする。
【０００６】
【課題を解決するための手段】
本発明によると携帯端末は、画像を表示する表示部と、携帯端末の移動を検出する移動検出部と、を有し、上記表示部が画像表示領域より大きいパノラマ画像を表示しているときに、上記移動検出部が携帯端末の移動を検出したとき、上記表示部に表示されたパノラマ画像はスクロールされる。
【０００７】
従って、パノラマ画像をスクロールさせるために、従来必須であったキー操作を省略することが可能となる。
【０００８】
【発明の実施の形態】
図１を参照して本発明による携帯端末の構成を説明する。本例の携帯端末は、アンテナ１と、アンテナ１を介して電波を送受信する通信回路部２と、通信回路部２で送受信される信号に含まれる音声信号を処理する音声処理部３と、音声処理部３で処理された信号を放音するスピーカ４と、外部からの音声を集音して音声処理部３に供給するマイク５と、ユーザの命令を入力するキー入力部６と、本携帯端末の移動状態を検出する移動検出部７と、キー入力部６又は移動検出部７からの信号に基づいて画像を処理する画像処理部８と、携帯端末の構成部の各々を制御し、各種の信号を処理する制御部９と、文字及び画像を表示する表示部１０と、を有する。
【０００９】
キー入力部６は、通話を開始又は終了するための通話キー及び通話終了キー、電源をオン又はオフするための電源キー等の機能キーと、左右上下の矢印キー、電話番号の入力等を行う数字キーを含む。
【００１０】
移動検出部７は、携帯端末本体の移動方向、移動距離、移動速度又は移動加速度を検出し、その情報を制御部９に伝達する。移動検出部７は、加速度計を含むように構成してよい。画像処理部８は、キー入力部６又は移動検出部７からの信号に基づいて、画像処理を行い、画像信号を表示部１０の出力する。
【００１１】
図２を参照して、本例の携帯端末の表示部１０にて、パノラマ画像をスクロール表示する動作を説明する。図２（ａ）は、パノラマ画像表示の初期画面であり、パノラマ画像をセンタリング表示した状態を示す。携帯端末のメイン液晶表示部１１の画像表示領域１２には、横長のパノラマ画像１３の中央部分が表示される。ユーザがキー入力部６を介して、パノラマ画像表示をオンにすると、表示部１０には、この初期画面が表示される。
【００１２】
図２（ｂ）に示すように、ユーザが携帯端末の本体を左に移動させると、図２（ｃ）に示すように、パノラマ画像が左方向にスクロールして左側部分が表示される。図２（ｂ）に示すように、ユーザが携帯端末の本体を右に移動させると、図２（ｄ）に示すように、パノラマ画像が右方向にスクロールして右側部分が表示される。尚、ユーザが携帯端末を移動させる代わりに、キー入力部６を操作しても、パノラマ画像をスクロールさせることができる。
【００１３】
本例によると、パノラマ画像のスクロールの方向は、携帯端末の移動方向に対応し、パノラマ画像のスクロール量に、携帯端末の移動距離、移動速度又は移動加速度に対応している。例えば、パノラマ画像のスクロール量を多くしたい場合には、携帯端末の移動距離、移動速度又は移動加速度を大きくすればよい。本例によると、携帯端末の移動距離、移動速度又は移動加速度が所定の値より小さいときは、パノラマ画像はスクロールされない。
【００１４】
次に、図３を参照して、本例による携帯端末における、パノラマ画像の表示動作を説明する。ユーザが、キー入力部６を介して、パノラマ画像の表示を指示することによってこのフローチャートが開始される。ステップＳ１において、制御部９は、キー入力部６からのパノラマ画像表示命令を画像処理部８に送信する。画像処理部８は、表示部１０に対して、パノラマ画像表示をＯＮ状態とすると共に、パノラマ画像をセンタリング表示するように命令信号を送信する。
【００１５】
ステップＳ２は、ユーザが携帯端末を右方向に移動させたか否かを判定するステップである。ユーザが携帯端末を右方向に移動させた場合はステップＳ７に進み、ユーザが携帯端末を右方向に移動させていない場合はステップＳ３に進む。ステップＳ７にて、移動検出部７は移動方向と移動距離、移動速度又は移動加速度を検出し、ステップＳ８に進む。
【００１６】
ステップＳ３は、ユーザが右矢印キーを押下したか否かを判定するステップである。ユーザが右矢印キーを押下した場合はステップＳ８に進み、ユーザが右矢印キーを押下していない場合はステップＳ４に進む。
【００１７】
ステップＳ８にて、表示部１０は、パノラマ画像を右方向にスクロールし、ステップＳ２に戻る。
【００１８】
ステップＳ４は、ユーザが携帯端末を左方向に移動させたか否かを判定するステップである。ユーザが携帯端末を左方向に移動させた場合はステップＳ９に進み、ユーザが携帯端末を左方向に移動させていない場合はステップＳ５に進む。ステップＳ９にて、移動検出部７は移動方向と移動距離、移動速度又は移動加速度を検出し、ステップＳ１０に進む。
【００１９】
ステップＳ５は、ユーザが左矢印キーを押下したか否かを判定するステップである。ユーザが左矢印キーを押下した場合はステップＳ１０に進み、ユーザが左矢印キーを押下していない場合はステップＳ６に進む。ステップＳ６にて、パノラマ画像をスクロールしないでそのまま表示する。
【００２０】
ステップＳ１０にて、表示部１０は、パノラマ画像を左方向にスクロールし、ステップＳ２に戻る。この動作を繰り返すことにより、パノラマ画像のスクロール表示が実現される。
【００２１】
以上、本発明の例を説明したが、本発明は上述の例に限定されるものではなく、特許請求の範囲にて様々な変更が可能であることは当業者に理解されよう。
【００２２】
【発明の効果】
本発明によれば、携帯端末を移動させるだけで、パノラマ画像をスクロールすることができるから、矢印キーを押下する操作を省くことができ、スムーズなパノラマ画像のスクロール表示が実現できる効果がある。
【００２３】
本発明によれば、携帯端末の移動方向を変化させるだけで、パノラマ画像を所定の方向にスクロールさせることができる効果がある。
本発明によれば、携帯端末の移動距離、移動速度又は移動加速度を変化させるだけで、パノラマ画像のスクロール量を変化させることができる効果がある。
【図面の簡単な説明】
【図１】本発明による携帯端末の構成例を示す図である。
【図２】本発明による携帯端末の表示部における、パノラマ画像のスクロール表示の概念を説明するための説明図である。
【図３】本発明による携帯端末の表示部におけるパノラマ画像をスクロール表示する動作を説明するための流れ図である。
【符号の説明】
１…アンテナ、２…通信回路部、３…音声処理部、４…スピーカ、５…マイク、６…キー入力部、７…移動検出部、８…画像処理部、９…制御部、１０…表示部、１１…メイン液晶表示部、１２…画像表示領域、１３…パノラマ画像
【図１】
2004317548.tif 000003
【図２】
2004317548.tif 000004
【図３】
2004317548.tif 000005